(57)【要約】  【課題】      従来のＸ線透視撮影装置のフットスイッチで発生していた、目視のできない環境下での複数のフットスイッチの踏み違いに基づく、Ｘ線の誤放射を含む装置の誤作動を防止し、誤作動による検査工程の遅延および被検者・術者の誤被爆を防止する手段を提供する。  【解決手段】  フットスイッチ箱２０には術者脚部２６の踵２７部分で触認する確認スイッチ２３ａを設け、爪先部分より触認の容易な踵部分で確認スイッチ２３ａの位置を十分触認した後、改めて第１段階として踵部分で確認スイッチ２３ａを踏み下げ、第２段階として爪先部分でフットスイッチ２２ａを踏み込むという２段動作を行う。フットスイッチ２２ａの踏み込みによりフットスイッチ用スイッチ２４ａを作動させ、第１段階、第２段階の双方が達成された場合のみ操作用信号を出力する。【選択図】          図２
0003132394.tif 000002
【実用新案登録請求の範囲】
【請求項１】
足踏み用の踏み込み用部材等からなり所定の動作信号を与える複数のフットスイッチを備えたＸ線透視撮影装置において、踏み違いを防止する踏み違い防止手段を設けたことを特徴とするＸ線透視撮影装置。
【請求項２】
前記踏み違い防止手段は、前記複数のフットスイッチに対応して複数の確認スイッチを設けるとともに、複数の各確認スイッチで踏み込みの感覚を異ならせた構成を備えたことを特徴とする請求項１記載のＸ線透視撮影装置。
【請求項３】
前記踏み違い防止手段は、前記各フットスイッチに対応して設けられた確認スイッチと、前記確認スイッチからの信号を受けて、対応するフットスイッチの種別を告知する告知手段を設けたことを特徴とする請求項１記載のＸ線透視撮影装置。
【請求項４】
前記確認スイッチは踵部分で踏み下げる押しボタン形式としたことを特徴とする請求項２、３記載のＸ線透視撮影装置。
【請求項５】
前記確認スイッチの踏み下げられた時のみ対応するフットスイッチの操作信号を発生するよう構成されたことを特徴とする請求項２、３記載のＸ線透視撮影装置。
【考案の詳細な説明】
【技術分野】
【０００１】
本考案は被検体のＸ線透視およびＸ線撮影により医用診断を行うためのＸ線透視撮影装置に関する。
【背景技術】
【０００２】
Ｘ線透視撮影装置（以下、原則として装置と記載する）においては、一般に被検体の検査部位のＸ線透視像を視認しながら、必要な時点でＸ線撮影が行われる。装置には透視・撮影などのＯＮ／ＯＦＦ操作などを行うためのフットスイッチボックスが設けられており、フットスイッチボックスには複数のフットスイッチが設けられている。複数のフットスイッチはそれぞれ、たとえば撮影、透視、手作業による天板の移動のためのブレーキ解除等の動作信号を発生する。術者が術者の足先部分を移動させて適切なフットスイッチを踏み込むことにより、必要な操作が行われる。
【０００３】
上記のフットスイッチには種々の形状のもの、すなわちペダル型や押ボタン型のスイッチが並設されているものや、シーソー型のペダルスイッチとしたものなどがある。フットスイッチの作動に際しては、術者が被検者の側方で、Ｘ線画像が表示されるモニタや他の装置の表示から基本的に目を離すことなく、複数のフットスイッチを選択し正しく踏む必要があり、踏み間違いを防ぐためにフットスイッチ毎に形状を変えたり、フットスイッチ間に仕切板を設けるなどの工夫がされている（たとえば特許文献１参照）。
【０００４】
以下、図７および図８によって従来の装置の基本的な構成と作動を説明する。図７において、放射線を透過する材料で作製された天板１は基台２上を長手方向に滑動する。最初天板１はＣアーム５から離れた位置にあり、天板１上に人体等の被検者（図示せず）が載置される。被検者を載置後、天板１をＣアーム５方向に移動させ被撮影部位をＸ線管３とＸ線検出器４の中間に置き、Ｘ線管３から放射されたＸ線をＸ線検出器４で検出する。
【０００５】
Ｘ線検出器４としてはたとえばイメージインテンシファイアやフラットパネル型検出器などが使用される。Ｃアーム５はアーム軸７を介設してアーム台６によって支持されている。Ｃアーム５は傾斜撮影を行うためアーム軸７を中心として回転可能な構造になっており、適切な方向・角度からのＸ線透視撮影が可能である。
【０００６】
図８は検査時の主要機器等を示した側面図である。図８において図７と同じ符号の部品の構造および作動は図７と同一である。天板１上には被検者８が載置される。術者９は被検者８の側面に立ち、Ｘ線画像や各要素の作動状況などが表示されるモニタ１０を監視しながら手許スイッチ（図示せず）による手動操作を行い、被検者８の検査部位をＸ線管３とＸ線検出器４の中間に移動する。更に術者９はフットスイッチ箱１１内の適切なフットスイッチ（図示せず）を踏むことによって、透視・撮影のＯＮ／ＯＦＦ操作および、手作業による天板１の移動のためのブレーキ解除操作などを行う。検査室には装置の各機器の作動を制御するための検査室制御盤１２が配設されており、フットスイッチ箱１１はケーブルを経由して検査室制御盤１２に接続されている。
【０００７】
この際、術者９は常にモニタ１０を監視しており、原則としてフットスイッチ箱１１を見ることはない。図９はフットスイッチ箱１１の構造の一例である。カバー１３内外には３個のフットスイッチ１４が配設されている。フットスイッチ１４はたとえば右から、天板１（図７参照）の手作業による移動のためのブレーキ解除、Ｘ線撮影開始、Ｘ線透視開始に使用される。現在どのフットスイッチを踏み込んでいるかを足先部分の触覚のみによって区別することを意図して、各フットスイッチ１４は仕切板１５で仕切られている。
【０００８】
【特許文献１】特開２００６−２０８５８号公報
【考案の開示】
【考案が解決しようとする課題】
【０００９】
従来の装置の構造は以上のとおりであるが、この構造ではフットスイッチの踏み違いによる誤作動の防止が十分でない。すなわち、Ｘ線透視撮影検査が行われる際フットスイッチは滅菌カバーで覆われ、術者の足先部分も検査用の靴の上から更に滅菌カバーで覆われることが通常である。この状態で複数のフットスイッチの中からの目的のフットスイッチの選択作業を行っていると、触認が不十分になり、目視のできない環境で踏み込みの必要なフットスイッチの場所を足先部分で探っている間に、誤ってフットスイッチを踏み込んだり、適切なフットスイッチと誤認して誤ったフットスイッチを踏み込んだりする事例が発生し、Ｘ線誤照射等の誤った機器作動が発生する。
【００１０】
またフットスイッチに替えて形状が相互に異なった押ボタン形状のスイッチを採用している場合なども、上記の滅菌カバー使用の環境で目視せずにスイッチ相互を確実に判別することは難しく、同様の誤操作が発生する。これらの誤操作は、誤認の再確認、再操作などによる検査工程の遅延を発生させ、また誤照射などによる被検者や術者に対するＸ線被爆量増大の危険性を増大させる。本考案はこのような問題点を解決する手段を提供することを目的とする。
【課題を解決するための手段】
【００１１】
本考案が提供するＸ線透視撮影装置は上記課題を解決するために、足踏み用の踏み込み用部材等からなり所定の動作信号を与える複数のフットスイッチを備えたＸ線透視撮影装置において、踏み違いを防止する踏み違い防止手段を設ける。また前記複数のフットスイッチに対応して複数の確認スイッチを設けるとともに、複数の各確認スイッチで踏み込みの感覚を異ならせた構成を備える。また踏み違い防止手段は、前記各フットスイッチに対応して設けられた確認スイッチと、前記確認スイッチからの信号を受けて、対応するフットスイッチの種別を告知する告知手段とする。また前記確認スイッチは踵部分で踏み下げる押しボタン形式とする。また前記確認スイッチの踏み下げられた時のみ対応するフットスイッチの操作信号を発生するよう構成する。
【考案の効果】
【００１２】
本考案によれば、踏み込み工程の最初に、爪先部分よりも術者の脚部に近く位置感覚の正確度の大きい踵部分でＸ線透過あるいはＸ線撮影など、踏み下げを要する確認スイッチの位置を十分認識した後に、改めて第１段階として踵部で確認スイッチを踏み下げ、第２段階として爪先部分でフットスイッチを踏み込むという２段動作により、目視を要せずに機器操作の確実性を高めることが可能になる。またフットスイッチの踏み込みと確認スイッチの踏み下げの双方が達成されない限りＸ線放射が行われないので、足先部分で探っている間に誤ってフットスイッチを踏み、Ｘ線放射操作をしてしまうという危険性を格段に防止することが可能になる。
【考案を実施するための最良の形態】
【００１３】
本考案が提供するＸ線透視撮影装置はつぎのような特徴を有している。第１の特徴は足踏み用の踏み込み用部材等からなり所定の動作信号を与える複数のフットスイッチを備えたＸ線透視撮影装置において、踏み違いを防止する踏み違い防止手段を設けたことである。第２の特徴は前記複数のフットスイッチに対応して複数の確認スイッチを設けるとともに、複数の各確認スイッチで踏み込みの感覚を異ならせた構成を備えたことである。第３の特徴は踏み違い防止手段は、前記各フットスイッチに対応して設けられた確認スイッチと、前記確認スイッチからの信号を受けて、対応するフットスイッチの種別を告知する告知手段としたことである。第４の特徴は前記確認スイッチは踵部分で踏み下げる押しボタン形式としたことである。第５の特徴は前記確認スイッチの踏み下げられた時のみ対応するフットスイッチの操作信号を発生するよう構成したことであり、これらの特徴を備えた形態が最良の形態である。
【００１４】
以下図示例にしたがって説明する。図１は本考案の実施例の一例である。フットスイッチ箱２０のカバー２１の内外には３個のフットスイッチ２２ａ、フットスイッチ２２ｂ、フットスイッチ２２ｃおよび、フットスイッチ２２ａ、フットスイッチ２２ｂ、フットスイッチ２２ｃとそれぞれ一対をなし術者の踵部分で踏み下げる３個の確認スイッチ２３ａ、確認スイッチ２３ｂ、確認スイッチ２３ｃが設けられている。各フットスイッチおよび各確認スイッチ間には仕切板１５が挟設されている。
【００１５】
図２はフットスイッチ箱２０の断面図である。図２で図１と同じ符号の部品の構造および作動は図１と同一である。術者９（図８参照）は先ず術者脚部２６の踵２７部分で、Ｘ線透視あるいはＸ線撮影などの機器作動に対応する確認スイッチ、たとえば確認スイッチ２３ａの位置を十分認識した後、改めて、第１段階として踵２７部分で確認スイッチ２３ａを踏み下げ、第２段階として爪先部分でフットスイッチ２２ａを踏み込むという２段動作により、目的とするフットスイッチ２２ａを下方に押し下げ、フットスイッチ２２ａに連動するフットスイッチ用スイッチ２４ａを作動させる。ストッパ２５ａはフットスイッチ２２ａが必要以上に押し下げられることを防止している。第１段階、第２段階の双方が達成された場合のみフットスイッチ箱２０から、選択されたフットスイッチ２２ａおよび確認スイッチ２３ａの一対に対応する、たとえばＸ線撮影開始などの操作信号を出力する。図１において確認スイッチ２３ａを踏み下げながらフットスイッチ２２ｂを踏み込もうとしても、仕切板１５によって踏み込めず、もし踏み込めたとしてもフットスイッチ２２ｂに対応する確認スイッチ２３ｂが踏み下げられていないので、操作信号は出力されない。
【００１６】
本考案は上記の実施例に限定されるものではなく、更に種々の変形実施例をあげることができる。たとえば図１には３対のフットスイッチ２２ａ等と確認スイッチ２３ａ等が示されているが、この数は３対には限定されない。また実施例では踏み違い防止手段は同一寸法のフットスイッチ２２ａ等と確認スイッチ２３ａ等との対であるが、フットスイッチ２２ａ等は目的に応じて爪先部分で踏み込む押しボタンなど、他の形状の踏み込み用部材とすることができ、またフットスイッチ２２ａ等と確認スイッチ２３ａ等の寸法は異なる触感を得るために各対毎に異なった寸法または形状に選定することも可能であり、本考案は踏み込み用部材の寸法および形状には限定されない。また意識的に異なる触感を得るために、たとえば各対毎に確認スイッチの踏み下げ時に反発力を発生させるためのバネ常数を変更して、踏み込み力に触感の違いを持たせても良い。また各確認スイッチには靴を履いた足でも判別できる明瞭なクリック感があるものを採用し、各対毎にフットスイッチの踏み込みまたは確認スイッチの踏み下げ途中で異なる中間クリック触感を発生させるような構造を設けることができる。
【００１７】
図３はフットスイッチ箱２０における各フットスイッチと接続スイッチの対が正しく踏み込みおよび踏み下げされているか否かを表示・告知するための構造の一例である。たとえばフットスイッチ２２ａに対応する確認スイッチ２３ａが踏み下げられている場合には、確認スイッチ２３ａから信号を発生させ、種別表示告知手段３０ａによって、たとえばランプを点灯させ対応するフットスイッチ２２ａを事前にあらかじめ術者に認識させる。またランプにフットスイッチ２２ａの機能表示をさせることにより、次に踏み込むべきフットスイッチ２２ａの機能を術者に事前に確認させることができる。同様にフットスイッチ２２ｂに対応する確認スイッチ２３ｂが踏み下げられている場合には、確認スイッチ２３ｂから信号を発生させ、種別表示告知手段３０ｂによって、種別表示告知手段３０ａとは異なった色および機能表示で、対応するフットスイッチがフットスイッチ２２ｂであることを、フットスイッチ２２ｂの機能と共に光表示させる。なお種別表示告知手段３０ｃの作動は上記の種別表示告知手段３０ａの作動と類似であるので説明は省略する。
【００１８】
確認スイッチ２３ｂまたは確認スイッチ２３ｃが踏み下げられている場合に、たとえば対応しないフットスイッチ２２ａが踏み込まれた時には、ＯＲ回路３２ａおよびＡＮＤ回路３３ａが作動して、踏み違い表示告知手段３１ａから踏み違いを告知する信号、たとえば音声を発生させる。踏み違い表示告知手段３１ｂ、踏み違い表示告知手段３１ｃの作動も上記の踏み違い表示告知手段３１ａの作動と類似であるので説明は省略する。
【００１９】
図４（Ａ）および図４（Ｂ）は上記の作動をフロー図で示したものである。図４（Ａ）において、フットスイッチ２２ａに対応する確認スイッチ２３ａが踏み下げられている場合には、確認スイッチ２３ａから信号を発生させ、種別表示告知手段３０ａによって、たとえばランプを点灯させ対応するフットスイッチ２２ａを事前にあらかじめ術者に認識させる。また図４（Ｂ）に示すように、確認スイッチ２３ｂ（または確認スイッチ２３ｃ）が踏み下げられている場合に、たとえば対応しないフットスイッチ２２ａが踏み込まれた時には、ＯＲ回路３２ａおよびＡＮＤ回路３３ａが作動して、踏み違い表示告知手段３１ａから踏み違いを告知する信号、たとえば音声を発生させる。正しいフットスイッチ２２ｂ（またはフットスイッチ２２ｃ）が踏み込まれた場合には各踏み違い表示告知手段は作動せず、次段に工程が進行する。
【００２０】
種別表示告知および踏み違い表示告知の方法は光または音声に限定されることはなく、ブザー音・フットスイッチ箱の振動・モニタ表示などから単独または複数の種類の種々の表示告知および踏み違い表示告知の方法を採用することが可能であり、また上記の光の例でも説明したように、フットスイッチ等の種類および機能を区別するために各フットスイッチ毎に異なった色・音声・振動周波数・振動周期・モニタ字幕内容などを与えて術者に対して表示告知することが可能である。
【００２１】
確認スイッチとフットスイッチの正しい組合せが行われたことに対して適切な表示告知を行い、術者に正しい操作であることを認識させることも可能である。たとえば図５のブロック図に示すように、フットスイッチ箱２０内のフットスイッチ２２ａに直結されたフットスイッチ用スイッチ２４ａと確認スイッチ２３ａの一対が同時に踏み込み・踏み下げられた場合のみに、スイッチ電源２８−フットスイッチ用スイッチ２４ａ−確認スイッチ２３ａ−検査室制御盤１２の回路が閉回路となり通電され、この通電により、検査室制御盤２４から装置各機器への制御信号と共にスピーカ２９に付加信号出力が供給され、またモニタ１０にも表示信号が供給され、ブザー音やモニタ表示が行われるようにすることができる。なお、図５にはスイッチ電源２８は検査室制御盤１２とは独立して示されているが、スイッチ電源２８を検査室制御盤１２内に内蔵しても良い。また確認スイッチのみの踏み下げに際して、対応するフットスイッチの機能に応じたブザー音やモニタ表示をさせる構成としても良い。
【００２２】
図５にはモニタ１０にＸ線透視開始と表示がされているが、表示内容は他の表示、たとえば踏み込まれたフットスイッチの番号などに変更することもできる。また図５には付加信号出力がブザー音の場合を示しているが、ブザー音に替えて電子回路による音声を発生したり、フットスイッチ箱２０を振動させたり、術者の近傍に設けたランプ（図示せず）を発光させたりしても良い。図６は図５のブロック図の作動状況をフロー図で示したものである。フットスイッチ用スイッチ２４ａが踏み込まれた時、対応する接続スイッチ２３ａが踏み下げられているかどうかを判別し、ＹＥＳであれば付加信号、適切な装置各機器用操作信号およびモニタ１０への表示信号が出力される。ＮＯであれば出力はされないので装置の誤動作は防止される。なお図５、図６ではフットスイッチ２２ａしたがってフットスイッチ用スイッチ２４ａと確認スイッチ２３ａの一対を例にあげているが、これはフットスイッチ２２ｂと確認スイッチ２３ｂまたはフットスイッチ２２ｃと確認スイッチ２３ｃの対においても同様である。またフットスイッチと確認スイッチの対に応じてモニタ１０への表示内容を変えるとともに、異なるブザー音・振動周波数・色等を採用することにより、術者に踏み込み、踏み下げの状況をより正確に認識させることができる。またフットスイッチ箱２０と他の機器との電気的接続方法は、図８に示すフットスイッチ箱１１と検査室制御盤１２の接続と同様のケーブル方式でもよいが、ワイヤレス方式でも良い。このワイヤレス方式は他の実施例、たとえば図１または図３に示す実施例においても適用可能である。本考案はこれらをすべて包含する。
【産業上の利用可能性】
【００２３】
本考案は被検体のＸ線透視およびＸ線撮影により医用診断を行うためのＸ線透視撮影装置に適用することができる。
【図面の簡単な説明】
【００２４】
【図１】本考案のフットスイッチ箱の構造の一例を示す図である。
【図２】本考案のフットスイッチ箱の断面図である。
【図３】本考案の変形実施例のブロック図である。
【図４】本考案の変形実施例のフロー図である。
【図５】本考案の他の変形実施例のブロック図である。
【図６】本考案の他の変形実施例のフロー図である。
【図７】Ｘ線透視撮影装置の主要部分の構造を示す図である。
【図８】Ｘ線透視撮影装置の透視または撮影時の主要要素の配置を示す図である。
【図９】従来のフットスイッチ箱の構造の一例を示す図である。
【符号の説明】
【００２５】
１  天板
２  基台
３  Ｘ線管
４  Ｘ線検出器
５  Ｃアーム
６  アーム台
７  アーム軸
８  被検者
９  術者
１０  モニタ
１１  フットスイッチ箱
１２  検査室制御盤
１３  カバー
１４  フットスイッチ
１５  仕切板
２０  フットスイッチ箱
２１  カバー
２２ａ  フットスイッチ
２２ｂ  フットスイッチ
２２ｃ  フットスイッチ
２３ａ  確認スイッチ
２３ｂ  確認スイッチ
２３ｃ  確認スイッチ
２４ａ  フットスイッチ用スイッチ
２５ａ  ストッパ
２６  術者脚部
２７  踵
２８  スイッチ電源
２９  スピーカ
３０ａ  種別表示告知手段
３０ｂ  種別表示告知手段
３０ｃ  種別表示告知手段
３１ａ  踏み違い表示告知手段
３１ｂ  踏み違い表示告知手段
３１ｃ  踏み違い表示告知手段
３２ａ  ＯＲ回路
３３ａ  ＡＮＤ回路
【図１】
0003132394.tif 000003
【図２】
0003132394.tif 000004
【図３】
0003132394.tif 000005
【図４】
0003132394.tif 000006
【図５】
0003132394.tif 000007
【図６】
0003132394.tif 000008
【図７】
0003132394.tif 000009
【図８】
0003132394.tif 000010
【図９】
0003132394.tif 000011